(57)【特許請求の範囲】
【請求項１】
カメラと、前記カメラを液密に収容する防水ケースとを有する撮像装置であって、
前記防水ケースは、前記カメラの前部を覆うフロントケースと、前記カメラの後部を覆うリアケースとを備え、
前記フロントケースには、前記カメラの前部の撮影レンズに臨ませて被写体を撮像するための光透過板が設けられ、
前記フロントケースと前記リアケースは合わせ部において着脱可能に結合され、
前記フロントケースは、前記撮影レンズに臨む前壁を有し、前記合わせ部の前端は前記フロントケースの前壁よりも後方に位置しており、
前記合わせ部は、前記カメラの側方から見て前記カメラの前部側が前記カメラの後部側よりも高位に位置するように鉛直方向に対して斜めに延在する単一の平面上を延在している
撮像装置。
【請求項２】
前記フロントケースは、前記カメラの底部に臨む底壁を有し、前記底壁の後端から斜め後方に延在する起立壁が設けられ、前記合わせ部の後端は、前記起立壁の上端に連結されている
請求項１記載の撮像装置。
【請求項３】
前記フロントケースは、前記カメラの底部に臨む底壁を有し、前記カメラは前記底壁上で支持されている
請求項１記載の撮像装置。
【請求項４】
前記フロントケースは、前記カメラの底部に臨む底壁を有し、前記カメラはその前後方向の全長が前記底壁上に位置し前記底壁上で支持されている
請求項１記載の撮像装置。
【請求項５】
前記フロントケースは、前記カメラの底部に臨む底壁を有し、前記撮像装置は、前記カメラを鉛直面内で揺動可能に支持する揺動機構を備え、
前記揺動機構は前記防水ケースに収容され、前記揺動機構は前記底壁上で支持されている
請求項１記載の撮像装置。
【請求項６】
前記撮像装置は、前記カメラを鉛直面内で揺動可能に支持する揺動機構を備え、
前記揺動機構は前記防水ケースに収容され、前記揺動機構により揺動される前記カメラの揺動中心は、前記フロントケースの合わせ部の上方に位置している
請求項１記載の撮像装置。
【請求項７】
前記フロントケースは、前記リアケースよりも剛性を有する材料で形成されている
請求項１記載の撮像装置。
【請求項８】
前記撮像装置は基台を備え、前記防水ケースは前記基台上に、鉛直軸の回りに旋回可能に設けられている
請求項１記載の撮像装置。
【請求項９】
前記カメラは、被写体で反射される可視光を捉えて撮像するカメラである
請求項１記載の撮像装置。
【請求項１０】
前記カメラは、被写体から発散される赤外線を捉えて撮像する赤外線カメラである
請求項１記載の撮像装置。
【発明の詳細な説明】
【技術分野】
【０００１】
本発明は撮像装置に関する。
【背景技術】
【０００２】
屋外の監視を行う監視カメラなどの撮像装置は、風雨にさらされる箇所に設置されるため、カメラと、カメラを収容する防水ケースとを備えている。
防水ケースは、雨の浸入を確実に防止することは無論のこと、カメラの点検などを行うために、防水ケースの内部が開放できる構造であることが要求される。
そのため、防水ケースの本体に点検作業用の開口を設けるとともに、開口を開閉する開閉部材を本体にヒンジで連結したものが提案されている（特許文献１参照）。
この撮像装置では、開閉部材が開口の縁部を形成する本体部分に合わされる部分と、開口の縁部を形成する本体部分が開閉部材に合わされる部分とに互いに係脱する形状を設け、それらを互いに係合させることで開閉部材が開口を閉塞した状態を維持するように構成されている。
【特許文献１】特開平１０−３３３２３４号公報
【発明の開示】
【発明が解決しようとする課題】
【０００３】
しかしながら、上述した従来の撮像装置では、前記互いに係脱する部分の形状が曲面状に形成されているため、隙間が生じやすく、防水性を確保する上で不利がある。
また、防水ケース内部のカメラの点検を行うためには、開口面積を大きく確保することが好ましいが、上述のように隙間が生じやすいため、開口面積を大きく確保しようとすると、隙間の面積も大きくなり、防水性を確保する上で不利がある。
本発明は、このような事情に鑑みなされたもので、その目的は、保守作業の効率化を図りつつ、防水ケースの内部への雨の浸入を確実に防止し、さらに、製造コストの低減を図る上で有利な撮像装置を提供することにある。
【課題を解決するための手段】
【０００４】
上記目的を達成するために本発明は、カメラと、そのカメラを液密に収容する防水ケースとを有する撮像装置であって、防水ケースは、カメラの前部を覆うフロントケースと、カメラの後部を覆うリアケースとを備え、フロントケースには、カメラの前部の撮影レンズに臨ませて被写体を撮像するための光透過板が設けられ、フロントケースとリアケースは合わせ部において着脱可能に結合され、フロントケースは、撮影レンズに臨む前壁を有し、合わせ部の前端はフロントケースの前壁よりも後方に位置しており、合わせ部は、カメラの側方から見てカメラの前部側がカメラの後部側よりも高位に位置するように鉛直方向に対して斜めに延在する単一の平面上を延在している。
【発明の効果】
【０００５】
本発明によれば、フロントケースとリアケースの合わせ部がカメラの側方から見て鉛直方向に対して斜めに延在する単一の平面上を延在するように設けられているので、合わせ部の開口面積が大きく確保されており、したがって、カメラの保守作業を効率よく行う上で有利となる。
また、合わせ部が単一の平面上を延在するように設けられているため、構造上および成形上、合わせ部を簡単にしかも確実に液密に結合する上で有利となり、したがって、合わせ部の間に隙間が生じにくくなり、降雨時に雨が防水ケースの内部に浸入することを確実に防止する上で有利となり、製造コストを低減する上でも有利となる。
【発明を実施するための最良の形態】
【０００６】
以下、本発明が監視カメラを構成する撮像装置に適用された実施の形態について説明する。
図１は本実施の形態の撮像装置１０を斜め上方から見た斜視図、図２は撮像装置１０を斜め下方から見た斜視図である。
図３、図４は撮像装置１０から化粧カバー１８を取り除いた状態を示す斜視図である。
図５は撮像装置１０の構成を示す側面図である。
図６、図７は撮像装置１０の分解斜視図である。
図１乃至図５に示すように、監視カメラは撮像装置１０を含んで構成されている。
撮像装置１０は、カメラ１２と、防水ケース１４と、基台１６と、化粧カバー１８などを備えている。
図５に示すように、カメラ１２は、カメラボディ１２０２と、撮影レンズ１２０４を含む撮影光学系が収容された鏡筒１２０６と、撮影光学系で捉えた被写体像を撮像するＣＣＤやＣＭＯＳセンサなどからなる撮像素子（不図示）などを備えている。
図５に示すように、カメラ１２は、鉛直面内で揺動機構２０により揺動軸心Ｏ１を中心に揺動可能に支持されている。
揺動機構２０は、図６、図７に示すように、左右の側板２０１０を備え、カメラ１２は左右の側板２０１０の間で揺動可能に支持されている。本実施の形態では、揺動機構２０によるカメラ１２の揺動範囲は水平方向を基準として上方に１０度、下方に２０度の範囲である。
揺動機構２０は、モータと、モータの出力軸に取着されたプーリと、カメラボディの側部に設けられたプーリ２００２と、それらプーリにわたって掛け渡されたベルト２００４などで構成され、前記モータの駆動により揺動軸心Ｏ１を中心に鉛直面内で揺動するように構成されている。なお、このような揺動機構２０として従来公知の様々な構造が採用可能である。
【０００７】
図５乃至図７に示すように、防水ケース１４は、カメラ１２の前部および揺動機構２０の下部を覆うフロントケース２２と、カメラ１２の後部および揺動機構２０の上部を覆うリアケース２４とを備え、カメラ１２を液密に収容している。
フロントケース２２は、カメラ１２の底部に臨む底壁２２０２と、底壁２２０２の左右から立設された左右の側壁２２０４と、底壁２２０２の後端から斜め後方に延在する起立壁２２０６と、底壁２２０２の前端から立設されカメラ１２の前部に臨む前壁２２０８と、左右の側壁２２０４の上端と前壁２２０８の上端を接続する上壁２２１０とを有している。
カメラ１２は平面視した場合、カメラ１２の前後方向の全長を含むカメラ１２全体が底壁２２０２の輪郭内に位置し、言い換えると、カメラ１２全体は底壁２２０２上に位置している。
揺動機構２０はその下端が底壁２２０２で支持されている。
図８、図９は防水ケース１４前部の分解斜視図、図１０は図３のＸＸ線断面図、図１１は図３のＹＹ線断面図である。
図８、図９に示すように、前壁２２０８には、鏡筒１２０６の前端の撮影レンズ１２０４に臨ませて被写体を撮像するための光透過板２６が設けられている。
詳細には、図８乃至図１０に示すように、前壁２２０８の縦長の開口２２１２にパッキン２８を介して光透過板２６が当接され、光透過板２６の上からスペーサ３０を介して枠状の取り付け板３２が前壁２２０８の周囲の箇所にねじ３２０２により取着されることで光透過板２６が配設されている。本実施の形態では、カメラ１２は、被写体から発散される赤外線を捉えて撮像する赤外線カメラであり、光透過板２６は赤外線を透過する材料であるゲルマニウムで形成されている。
【０００８】
図５乃至図７に示すように、リアケース２４は、カメラ１２の後面および揺動機構２０の後面を覆う後壁２４０２と、後壁２４０２の左右から前方に延在しカメラ１２の後部の左右側面および揺動機構２０の上部を覆う左右の側壁２４０４と、後壁２４０２の上端と左右の側壁の上端を接続しカメラ１２の後部の上面を覆う上壁２４０６とを有している。
フロントケース２２はリアケース２４よりも剛性を有する製品形状で形成されている。
本実施の形態では、フロントケース２２は、マグネシウム合金の鋳物によって構成され、カメラ１２の鏡筒１２０６の保護するに足り、また、カメラ１２および揺動機構２０を支持するに足る剛性が確保されるとともに、軽量化が図られている。
本実施の形態では、リアケース２４は、炭素繊維強化樹脂（ＣＦＲＰ：Ｃａｒｂｏｎ  Ｆｉｂｅｒ  Ｒｅｉｎｆｏｒｃｅｄ  Ｐｌａｓｔｉｃｓ）製であり、カメラ１２および揺動機構２０を収容するに足る剛性が確保されるとともに、軽量化が図られている。また、炭素繊維強化樹脂は導電性を有することから、リアケース２４によって電磁波に対するシールド効果が確保されている。
【０００９】
図６、図７に示すように、フロントケース２２とリアケース２４は合わせ部２２Ａ、２４Ａにおいて着脱可能に結合されている。
フロントケース２２の合わせ部２２Ａは、起立壁２２０６の上端と、左右の側壁２２０４の後端と、上壁２２１０の後端とで矩形枠状に形成され、カメラ１２の側方から見て鉛直方向に対して斜めに延在する単一の平面上を延在している。
リアケース２４の合わせ部は、後壁２４０２の下端と、左右の側壁２４０４の前端と、上壁２４０６の前端とで矩形枠状に形成され、カメラ１２の側方から見て鉛直方向に対して斜めに延在する単一の平面上を延在している。
合わせ部２２Ａの前端はフロントケース２２の前面よりも後方に位置している。
合わせ部２２Ａ、２４Ａは、カメラ１２の前部側がカメラ１２の後部側よりも高位に位置している。本実施の形態では、合わせ部２２Ａ、２４Ａは、カメラ１２の側方から見て鉛直方向に対して４５度の角度で延在している。
【００１０】
図１１に示すように、フロントケース２２の合わせ部２２Ａは、合わせ部２２Ａの全周にわたり形成された凹溝２２２０を含んで構成されている。
また、リアケース２４の合わせ部２４Ａは、合わせ部２４Ａを構成する壁部の先端２４２０で構成されている。
そして、凹溝２２２０内にシール材３４が収容され、壁部の先端２４２０がシール材３４に弾接されることで双方の合わせ部２２Ａ、２４Ａは液密可能に結合されている。
詳細には、図６、図７に示すように、フロントケース２２の合わせ部２２Ａの外側にねじ挿通孔が形成された取り付け部２２２２が間隔をおいて複数設けられ、これら取り付け部２２２２に対応するリアケース２４の合わせ部２４Ａの箇所には雌ねじが形成された取り付け部２４２２がそれぞれ設けられている。
そして、フロントケース２２の凹溝２２２０にシール材３４を介してリアケース２４の先端２４２０を当接させるとともに、取り付け部２２２２、２４２２を合致させ、ねじ２２２４を前記ねじ挿通孔に挿通して前記雌ねじに螺合することで、リアケース２４がフロントケース２２に取着される。
【００１１】
図５に示すように、フロントケース２２の底壁２２０２は、基台１６上において旋回機構３６により鉛直軸Ｏ２の回りに旋回可能に支持され、また、鉛直方向に移動不能に支持されている。本実施の形態では、フロントケース２２の旋回範囲は、正面を基準として左右に１３５度（合計２７０度）の範囲である。
旋回機構３６は、基台１６の内部に設けられたモータと、モータの出力軸に取着された出力ギアと、揺動機構２０の下端に設けられた従動ギアと、それら出力ギアと従動ギアを連結する歯車機構などで構成されている。なお、このような旋回機構３６として従来公知の様々な構造が採用可能である。
本実施の形態では、図３乃至図５に示すように、底壁２２０２から一体的に円筒状に筒状壁２２３０が突設され、筒状壁２２３０の下端が不図示のシール材を介して液密にかつ回転可能に基台１６に結合され、旋回機構３６は筒状壁２２３０の内側に収容されている。
【００１２】
図１、図２に示すように、基台１６の後部には、コントロールボックス３８が立設されている。
コントロールボックス３８には、揺動機構２０のモータ、旋回機構３６のモータに駆動信号を供給するモータドライバ回路、カメラ１２のズーム動作を行わせる制御回路、カメラ１２の撮像素子から出力される映像信号を所定形式の映像データに変換するなどの処理を行う信号処理回路、撮像装置１０の外部に設けられたホスト装置との間でイーサーネットを介して前記映像データや制御コマンドのやり取りを行う通信回路、外部から供給される電力を所定の電圧、電流に変換して上述した各回路に供給する電源回路などが収容されている。
図２に示すように、コントロールボックス３８の後面には、前記通信回路に接続されるイーサーネット用コネクタ３８０２、電源供給用コネクタのコネクタ３８０４などが設けられている。
本実施の形態では、基台１６およびコントロールボックス３８はアルミ鋳物で構成されている。
【００１３】
さらに、本実施の形態では、図１、図２に示すように、フロントケース２２の前壁２２０８および底壁２２０２を除いた防水ケース１４箇所を覆う化粧カバー１８が設けられ、監視装置の外観性が高められている。
化粧カバー１８は、防水ケース１４の左右の側面を覆う左右の側壁１８０２と、防水ケース１４の後面を覆う後壁１８０４と、防水ケース１４の上面を覆う上壁１８０６とを有し、前方および下方に開放状に形成されている。
本実施の形態では、化粧カバー１８は、左側壁および後壁の左半部を構成する第１分割体１８Ａと、右側壁及び後壁の右半部を構成する第２分割体１８Ｂと、上壁を構成する第３分割体１８Ｃとの３つの部材で構成されている。
化粧カバー１８は、本実施の形態では合成樹脂製であり、上壁１８０６が不図示のねじなどを介してフロントケース２２の上壁２２１０と、リアケース２４の上壁２４０６に取着されている。
【００１４】
本実施の形態によれば、フロントケース２２とリアケース２４は合わせ部２２Ａ、２４Ａにおいて着脱可能に結合され、カメラ１２は揺動機構２０を介してフロントケース２２の底壁２２０２上で支持されている。
したがって、フロントケース２２からリアケース２４を取り外すと、カメラ１２はフロントケース２２で支持された状態で、フロントケース２２の合わせ部２２Ａからその後部が露出する。
本実施の形態では、合わせ部２２Ａ、２４Ａは、カメラ１２の側方から見て鉛直方向に対して斜めに延在する単一の平面上を延在するように設けられているので、フロントケース２２の合わせ部２２Ａの開口面積が大きく確保されており、したがって、カメラ１２および揺動機構２０の保守作業を効率よく行う上で有利となる。
また、合わせ部２２Ａ、２４Ａが単一の平面上を延在するように設けられているため、構造上および成形上、合わせ部２２Ａ、２４Ａを簡単にしかも確実に液密に結合する上で有利となり、したがって、合わせ部２２Ａ、２４Ａの間に隙間が生じにくくなり、降雨時に雨が防水ケース１４の内部に浸入することを確実に防止する上で有利となる。
また、合わせ部２２Ａ、２４Ａを含むフロントケース２２とリアケース２４の構造が簡素化され、製造コストを低減する上でも有利となる。
また、フロントケース２２はマグネシウム合金で形成され、リアケース２４は合成樹脂で形成され、フロントケース２２はリアケース２４よりも剛性を有する製品形状で形成されているので、軽量化を図りつつカメラ１２の撮影レンズ１２０４を含む鏡筒１２０６部分への損傷をフロントケース２２により確実に防止する上で有利となる。
【００１５】
また、本実施の形態では、合わせ部２２Ａ、２４Ａの前端がフロントケース２２の前面よりも後方に位置しているため、合わせ部２２Ａ、２４Ａの前端がフロントケース２２の前面と同じ箇所に位置している場合に比べ、光透過板２６の上下の高さを大きく確保でき、上下方向における監視範囲を確保する上で有利となる。
また、本実施の形態では、合わせ部２２Ａ、２４Ａの後端は、起立壁２２０６の上端に連結されているので、フロントケース２２の底壁２２０２の後端に合わせ部２２Ａ、２４Ａの後端を連結する場合に比べ、合わせ部２２Ａの開口面積を大きく確保でき、カメラ１２および揺動機構２０の保守作業を効率よく行う上で有利となる。
【００１６】
なお、本実施の形態では、揺動機構２０および旋回機構３６を備える場合について説明したが、揺動機構２０および旋回機構３６が省略された撮像装置１０にも本発明は無論適用可能である。
また、カメラは、実施の形態の赤外線カメラに限定されず、被写体で反射される可視光を捉えて撮像するカメラなど従来公知の様々な形式のカメラに本発明は適用される。
【図面の簡単な説明】
【００１７】
【図１】本実施の形態の撮像装置１０を斜め上方から見た斜視図である。
【図２】撮像装置１０を斜め下方から見た斜視図である。
【図３】撮像装置１０から化粧カバー１８を取り除いた状態を示す斜視図である。
【図４】撮像装置１０から化粧カバー１８を取り除いた状態を示す斜視図である。
【図５】撮像装置１０の構成を示す側面図である。
【図６】撮像装置１０の分解斜視図である。
【図７】撮像装置１０の分解斜視図である。
【図８】防水ケース１４前部の分解斜視図である。
【図９】防水ケース１４前部の分解斜視図である。
【図１０】図３のＸＸ線断面図である。
【図１１】図３のＹＹ線断面図である。
【符号の説明】
【００１８】
１０……撮像装置、１２……カメラ、１４……防水ケース、２２……フロントケース、２４……リアケース、２６光透過板、２２Ａ、２４Ａ……合わせ部、１２０４……撮影レンズ。
【図１】
0004419935.tif 000002
【図２】
0004419935.tif 000003
【図３】
0004419935.tif 000004
【図４】
0004419935.tif 000005
【図５】
0004419935.tif 000006
【図６】
0004419935.tif 000007
【図７】
0004419935.tif 000008
【図８】
0004419935.tif 000009
【図９】
0004419935.tif 000010
【図１０】
0004419935.tif 000011
【図１１】
0004419935.tif 000012